【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
通信ネットワーク上でエンドユーザが使用可能なユーザ装置（ＵＥ）のためのメディアリンク品質を評価する方法であって、
テストステーション（ＴＳ）によりエラーフリー受信を実質的に確認可能なプロトコルを使用して、該ＴＳから前記ＵＥへデータファイルとしてアップリンク基準サンプルを無線で転送するステップと、
前記ＵＥで前記データファイルを記憶するステップと、
前記ＵＥがアップリンクテストセッションを認識するように前記ＵＥと前記ＴＳの間に無線アップリンク接続を確立することにより該アップリンクテストセッションを開始するステップと、
前記データファイルから前記ＵＥが再生する前記アップリンク基準サンプルの送信を前記ＵＥから受信するステップと、
前記ＴＳでアップリンク劣化サンプルとして前記送信を捕獲するステップと、
アップリンク品質を評価するために前記アップリンク基準サンプルを前記アップリンク劣化サンプルと比較するステップと、を含む方法。
【請求項２】
前記方法は、
前記ＵＥと前記ＴＳの間に無線ダウンリンク接続を確立することによりダウンリンクテストセッションを開始するステップと、
前記ダウンリンク接続上で前記データファイルから前記ＴＳが再生するダウンリンク基準サンプルの送信を前記ＵＥへ配信するステップと、
前記ＵＥでダウンリンク劣化サンプルとして前記送信を記録するステップと、
前記ＴＳによりエラーフリー受信を実質的に確認可能なプロトコルを使用して、前記ＵＥから前記ＴＳへ前記ダウンリンク劣化サンプルを無線でアップロードするステップと、
ダウンリンク品質を評価するために前記ダウンリンク基準サンプルを前記ダウンリンク劣化サンプルと比較するステップと、をさらに含む請求項１に記載の方法。
【請求項３】
前記ＴＳと前記ＵＥの間でアップリンク基準サンプルを転送するステップは、前記ＴＳから前記ＵＥへ前記アップリンク基準サンプルをダウンロードするステップを含む、請求項１に記載の方法。
【請求項４】
前記アップリンク基準サンプルは、音声と、映像と、音声及び映像両方と、を含む請求項１に記載の方法。
【請求項５】
前記方法は、前記ＵＥと前記ＴＳの間の前記アップリンク接続を確立させるために前記ＵＥと前記ＴＳの間にセッションを設定するステップをさらに含み、前記セッションを設定するステップは前記ＵＥのユーザに通知しないで行われる、請求項１に記載の方法。
【請求項６】
前記セッションを設定するステップは、音声電話を確立するステップを含む、請求項５に記載の方法。
【請求項７】
前記アップリンク品質を評価するために比較するステップは、平均オピニオン評点としてアップリンク品質を表すステップを含む、請求項１に記載の方法。
【請求項８】
前記アップリンク基準サンプルを転送するステップは、少なくとも１つの追加のアップリンク基準サンプルを転送するステップを含み、
前記セッションを設定するステップは、再生されるサンプルとして前記アップリンク基準サンプルを指定するステップを含む、請求項５に記載の方法。
【請求項９】
前記セッションを設定するステップは、前のセッションの間にユーザコールの開始を検出するのに応答して遮断された前記前のセッションを復旧するステップを含む、請求項５に記載の方法。
【請求項１０】
前記方法は、
前記ＵＥと関連する複数のメディアフラグメントを収集するステップと、
前記複数のメディアフラグメントを含むように前記アップリンク基準サンプルを構築するステップと、をさらに含む請求項１に記載の方法。
【請求項１１】
前記複数のメディアフラグメントは前記ＵＥで収集される、請求項１０に記載の方法。
【請求項１２】
前記複数のメディアフラグメントを収集するステップは、前記ＵＥが前記メディアフラグメントに対して好ましい信号対雑音比を測定する間に前記複数のメディアフラグメントを収集するステップを含む、請求項１０に記載の方法。
【請求項１３】
前記方法は、
前記ＵＥと関連する複数のメディアフラグメントを収集するステップと、
前記複数のメディアフラグメントを含むように前記ダウンリンク基準サンプルを構築するステップと、をさらに含む請求項２に記載の方法。
【請求項１４】
前記複数のメディアフラグメントは前記ＵＥのピアデバイスから収集される、請求項１３に記載の方法。
【請求項１５】
前記複数のメディアフラグメントは、ピアデバイスとの呼の間に前記ＵＥにより収集される、請求項１３に記載の方法。
【請求項１６】
前記ピアデバイスから前記複数のメディアフラグメントを収集するステップは、前記ＵＥが前記ピアデバイスとの前記ダウンリンク接続に対して好ましい信号対雑音比を測定するときに前記複数のメディアフラグメントを収集するステップを含む、請求項１５に記載の方法。
【請求項１７】
前記複数のメディアフラグメントを収集するステップは、前記複数のメディアフラグメントが高性能コーデックで符号化されることを前記ＵＥが決定するときに前記複数のメディアフラグメントを選択するステップを含む、請求項１５に記載の方法。
【請求項１８】
前記方法は、
ユーザコールの終了を検出するのに応答して前記アップリンク接続を確立するステップをさらに含む、請求項１に記載の方法。
【請求項１９】
前記方法は、
ユーザコールの開始を検出するのに応答して前記アップリンク接続を確立するステップと、
前記ユーザコールの間に前記アップリンク接続及び前記ダウンリンク接続のためのＱｏＳを確立するステップと、をさらに含み、
前記アップリンクメディアを再生するステップ及び前記ダウンリンクメディアを配信するステップは、前記ユーザコールと同時発生する、請求項２に記載の方法。
【請求項２０】
前記セッションは、ユーザコールの終了を検出するのに応答して設定される、請求項５に記載の方法。
【請求項２１】
前記ＴＳは、携帯電話、タブレットコンピュータ、パーソナルコンピュータ及びラップトップコンピュータのうちの少なくとも１つを含む、請求項１に記載の方法。
【請求項２２】
通信ネットワーク上でエンドユーザが使用可能なユーザ装置（ＵＥ）のためのリンク品質を評価する方法であって、
前記ＵＥがダウンリンクテストセッションを認識するように前記ＵＥとテストステーション（ＴＳ）の間に無線ダウンリンク接続を確立することにより該ダウンリンクテストセッションを開始するステップと、
前記ＵＥによりダウンリンク劣化サンプルとして記録するために前記ＴＳが再生するダウンリンク基準サンプルを前記ＵＥへ無線で送信するステップと、
前記ＵＥによりエラーフリー受信を実質的に確認可能なプロトコルを使用して、前記ＵＥから前記ＴＳへデータファイルとして前記ダウンリンク劣化サンプルを無線でアップロードするステップと、
ダウンリンク品質を評価するために前記ダウンリンク基準サンプルを前記ダウンリンク劣化サンプルと比較するステップと、を含む方法。
【請求項２３】
プロセッサ、メモリ、及び通信インタフェースを含むテストステーション（ＴＳ）を備える、通信ネットワーク上でエンドユーザが使用可能なユーザ装置（ＵＥ）のためのリンク品質を評価するテスト装置であって、
前記プロセッサは、
前記ＴＳによりエラーフリー受信を実質的に確認可能なプロトコルを使用して、前記ＴＳから前記ＵＥへデータファイルとしてアップリンク基準サンプルを無線で転送し、前記データファイルは前記ＵＥで記憶され、
前記ＵＥがアップリンクテストセッションを認識するように前記ＵＥと前記ＴＳの間に無線アップリンク接続を確立することにより該アップリンクテストセッションを開始し、及び、
前記データファイルから前記ＵＥが再生する前記アップリンク基準サンプルの送信を、前記ＵＥから受信する、ように前記ＴＳを制御し、
前記プロセッサは、
アップリンク劣化サンプルとして前記アップリンクメディアを前記メモリ内に捕獲し、及び、
アップリンク品質を評価するために前記アップリンク基準サンプルを前記アップリンク劣化サンプルと比較する、ように前記ＴＳをさらに制御する、テスト装置。
【請求項２４】
前記プロセッサは、
前記ＵＥがダウンリンクテストセッションを認識するように前記ＵＥと前記ＴＳの間に無線ダウンリンク接続を確立することにより該ダウンリンクテストセッションを開始し、
前記ＵＥによりダウンリンク劣化サンプルとして記録するために前記ＴＳが再生するダウンリンク基準サンプルを前記ＵＥへ送信し、
エラーフリー受信を実質的に確認可能なプロトコルを使用して、前記ＵＥからデータファイルとしてダウンリンク劣化サンプルをアップロードし、及び、
ダウンリンク品質を評価するために前記ダウンリンク基準サンプルを前記ダウンリンク劣化サンプルと比較する、ように前記ＴＳをさらに制御する、請求項２３に記載のテスト装置。
【請求項２５】
前記ＴＳは、前記ＵＥと通信するアプリケーションサーバを含む、請求項２３に記載のテスト装置。
【請求項２６】
前記プロセッサと前記通信インフェースは組み合わせてさらに、
前記ＵＥと関連する複数のメディアフラグメントをアップロードし、並びに、
前記複数のメディアフラグメントを含むように、前記アップリンク基準サンプル及び前記ダウンリンク基準サンプルのうちの少なくとも１つを構築する、請求項２３に記載のテスト装置。
【請求項２７】
前記ＴＳは、前記アップリンク基準サンプルを前記ＵＥに伝達するために少なくとも１つのアップリンク基準サンプルでプロビジョニングされ、
前記アップリンク基準サンプルは、音声サンプル、映像サンプル、又は音声と映像の組み合わせを含むサンプルである、請求項２３に記載のテスト装置。
【請求項２８】
前記プロセッサと前記通信インタフェースは組み合わせてさらに、
前記ＵＥとのテストセッションを設定し、
前記ＵＥとの前記テストセッション用の前記アップリンク接続として前記アップリンク接続を確立し、
前記ＵＥとの前記テストセッションが実行中の間に他のＵＥと他のテストセッションを設定し、
前記他のＵＥとの前記他のテストセッション用の前記アップリンク接続として他のアップリンク接続を確立し、及び、
前記他のＵＥに前記他のアップリンク接続上で基準サンプルに対応するアップリンクメディアを再生させる、請求項２３に記載のテスト装置。